(57)【要約】【課題】貫通孔の断面形状を変形させにくいグリーンハニカム成形体の切断方法、ハニカム構造体の製造方法、切断装置を提供する。【解決手段】断面多角形の貫通孔７０ａを有するグリーンハニカム成形体７０の切断方法である。貫通孔７０ａの軸と垂直な面（ＸＺ面）に沿って、貫通孔７０ａの各辺７０ｂに対して非平行となる方向に配置された刃先１２を、刃先１２と垂直な方向に、グリーンハニカム成形体７０に対して相対的に移動させる。【選択図】図２
2012081746.tif 000002
【特許請求の範囲】
【請求項１】
断面多角形の貫通孔を有するグリーンハニカム成形体の切断方法であって、
前記貫通孔の軸と垂直な面に沿って、前記貫通孔の各辺に対して非平行となる方向に配置された刃先を、前記刃先に対して垂直な方向に、前記グリーンハニカム成形体に対して相対的に移動させる、グリーンハニカム成形体の切断方法。
【請求項２】
前記多角形は正方形であり、前記刃先が配置される方向は、前記貫通孔の各辺に対して３０〜６０度の角度をなす請求項１記載の方法。
【請求項３】
前記刃先はワイヤまたは帯鋸の刃である請求項１又は２記載の方法。
【請求項４】
前記グリーンハニカム成形体は前記貫通孔を複数有し、前記刃先は、前記各貫通孔の各辺に対して非平行となる方向に配置された請求項１〜３のいずれか１項記載の方法。
【請求項５】
請求項１〜４のいずれか１項記載のグリーンハニカム成形体の切断方法と、
切断されたグリーンハニカム成形体を焼成する工程と、を備えるハニカム構造体の製造方法。
【請求項６】
断面多角形の貫通孔を有するグリーンハニカム成形体を保持するワーク保持部と、
刃先を前記貫通孔の各辺に対して非平行となる方向に保持する刃先保持部と、
前記貫通孔の軸と垂直な面に沿って、前記方向に保持された刃先が前記刃先と垂直な方向に移動するように、前記ワーク保持部と前記刃先保持部とを相対的に移動させる垂直移動部と、を備える切断装置。
【発明の詳細な説明】
【技術分野】
【０００１】
本発明は、グリーンハニカム成形体の切断方法、ハニカム構造体の製造方法、及び、切断装置に関する。
【背景技術】
【０００２】
従来より、例えば、断面多角形の複数の貫通孔を有するセラミクス製のハニカム孔構造体が知られている。このようなハニカム構造体は、ディーゼルパティキュレートフィルタ（ＤＰＦ）等に用いられる。このようなハニカム構造体は、セラミック原料粉を押出し法等により成形してグリーンハニカム成形体を作成し、このグリーンハニカム成形体を所望の長さに切断後、封口、焼成することにより製造される。
【０００３】
そして、グリーンハニカム成形体の切断方法として、例えば、特許文献１に開示される方法が知られている。
【先行技術文献】
【特許文献】
【０００４】
【特許文献１】特開２００１−９６５２４号公報
【発明の概要】
【発明が解決しようとする課題】
【０００５】
しかしながら、従来の方法では、切断面近傍において、貫通孔の断面形状が変形する場合があった。
【０００６】
本発明は上記課題に鑑みてなされたものであり、貫通孔の断面形状を変形させにくいグリーンハニカム成形体の切断方法、ハニカム構造体の製造方法、切断装置を提供することを目的とする。
【課題を解決するための手段】
【０００７】
本発明にかかるグリーンハニカム成形体の切断方法の一態様は、
断面多角形の貫通孔を有するグリーンハニカム成形体の切断方法であって、
前記貫通孔の軸と垂直な面に沿って、前記貫通孔の各辺に対して非平行となる方向に配置された刃先を、前記刃先と垂直な方向に、前記グリーンハニカム成形体に対して相対的に移動させる。
【０００８】
本発明にかかる切断装置の一態様は、断面多角形の貫通孔を有するグリーンハニカム成形体を保持するワーク保持部と、
刃先を前記貫通孔の各辺に対して非平行となる方向に保持する刃先保持部と、
前記貫通孔の軸と垂直な面に沿って、前記方向に保持された刃先が前記刃先と垂直な方向に移動するように、前記ワーク保持部と前記刃先保持部とを相対的に移動させる移動部と、を備える。
【０００９】
これらの方法又は装置によれば、刃先が、貫通孔の各辺と非平行になるように配置されているので、この刃先を移動させて切断する際に、切断面近傍での貫通孔の断面形状の変形を抑制できる。
【００１０】
ここで、前記多角形は正方形であり、前記刃先が配置される方向は、前記貫通孔の各辺に対して３０〜６０度の角度をなすようにしてもよい。
【００１１】
また、前記刃先はワイヤ又は帯鋸の刃としてもよい。
【００１２】
また、グリーンハニカム成形体は前記貫通孔を複数有し、前記刃先は、前記各貫通孔の各辺に対して非平行となる方向に配置してもよい。
【００１３】
本発明にかかるハニカム構造体の製造法の一態様は、上記のグリーンハニカム成形体の切断方法と、切断されたグリーンハニカム成形体を焼成する工程と、を備える。
【発明の効果】
【００１４】
本発明によれば、貫通孔の断面形状を変形させにくいグリーンハニカム成形体の切断方法、ハニカム構造体の製造方法、切断装置が提供される。
【図面の簡単な説明】
【００１５】
【図１】図１は、本発明の一実施形態にかかる切断装置の概略斜視図である。
【図２】図２は、図１の切断装置の、ワイヤ１２が通るＸＺ面近傍の断面図である。
【図３】図３は、本発明の他の実施形態にかかる切断装置の斜視図である。
【図４】図４は、図３のワーク保持部５０の側面図である。
【発明を実施するための形態】
【００１６】
図面を参照して、本発明の実施形態に係る切断装置の一例について説明する。図１は、本実施形態の一例に係る切断装置の断面図である。
【００１７】
この切断装置１００は、主として、グリーンハニカム成形体７０を保持するワーク保持部６と、刃先としてのワイヤ１２と、ワイヤ１２を所定の方向（Ｘ方向）に張り渡した状態に保持するワイヤ保持部２０と、ワーク保持部６に対して、ワイヤ保持部２０をワイヤ１２が伸びる方向に対して垂直な方向（Ｚ方向）に移動させる垂直移動部３０と、を備えている。
【００１８】
まず、切断対象となる、グリーンハニカム成形体７０について説明する。
グリーンハニカム成形体７０は、図１、及び、図２に示すように、Ｙ軸方向に伸びる円柱体であり、Ｙ軸方向に伸びる多数の貫通孔７０ａを有する。本実施形態では、図２に示すように、貫通孔７０ａの軸に垂直な断面（ＸＺ断面）形状は正方形である。これらの複数の貫通孔７０ａは、グリーンハニカム成形体７０において、貫通孔７０ａの軸方向（Ｙ方向）から見て、正方形配置、すなわち、貫通孔７０ａの中心軸が、正方形の頂点にそれぞれ位置するようにかつ隣接する貫通孔７０ａの辺同士が平行となるように配置されている。ここで、貫通孔７０ａの辺とは、貫通孔７０ａの貫通方向に垂直な断面形状における各辺をいう。貫通孔７０ａの断面の正方形のサイズは、特に限定されないが、例えば、一辺０．８〜２．５ｍｍとすることができる。また、グリーンハニカム成形体７０の外径も特に限定されないが、例えば、１００〜３２０ｍｍとすることできる。貫通孔７０ａ間の間隔である隔壁の厚みは、０．０５〜０．５ｍｍとすることができる。
【００１９】
グリーンハニカム成形体７０の材料は特に限定されないが、後で焼成することによりセラミクスとなるグリーン（セラミクス原料）とすることができる。セラミクスとしては、例えば、アルミナ、シリカ、ムライト、コーディエライト、ガラス、チタン酸アルミニウム等の酸化物、シリコンカーバイド、窒化珪素、金属等が挙げられる。なお、チタン酸アルミニウムは、さらに、マグネシウム及び／又はケイ素を含むことができる。
【００２０】
具体的には、グリーンハニカム成形体７０は、セラミクス原料である無機化合物源粉末、及び、メチルセルロース等の有機バインダ、及び、必要に応じて添加される添加剤を含むことができる。
【００２１】
例えば、チタン酸アルミニウムのグリーン成形体の場合、無機化合物源粉末は、αアルミナ粉等のアルミニウム源粉末、及び、アナターゼ型やルチル型のチタニア粉末等のチタニウム源粉末を含み、必要に応じて、さらに、マグネシア粉末やマグネシアスピネル粉末等のマグネシウム源粉末及び／又は、酸化ケイ素粉末やガラスフリット等のケイ素源粉末を含むことができる。
【００２２】
有機バインダとしては、メチルセルロース、カルボキシルメチルセルロース、ヒドロキシアルキルメチルセルロース、ナトリウムカルボキシルメチルセルロースなどのセルロース類；ポリビニルアルコールなどのアルコール類；リグニンスルホン酸塩を例示できる。有機バインダの量は、無機化合物源粉末の１００重量部に対して、２０重量部以下であることが好ましく、より好ましくは１５重量部以下、さらに好ましくは６重量部である。また、有機バインダの下限量は、０．１重量部であることが好ましく、より好ましくは３重量部である。
【００２３】
添加物としては、例えば、造孔剤、潤滑剤、可塑剤、分散剤、溶媒が挙げられる。
【００２４】
造孔剤としては、グラファイト等の炭素材；ポリエチレン、ポリプロピレン、ポリメタクリル酸メチル等の樹脂類；でんぷん、ナッツ殻、クルミ殻、コーンなどの植物材料；氷；およびドライアイス等などが挙げられる。造孔剤の添加量は、無機化合物源粉末の１００重量部に対して、０〜４０重量部であることが好ましく、より好ましくは０〜２５重量部である。
【００２５】
潤滑剤としては、グリセリンなどのアルコール類；カプリル酸、ラウリン酸、パルミチン酸、アラキジン酸、オレイン酸、ステアリン酸などの高級脂肪酸；ステアリン酸Ａｌなどのステアリン酸金属塩などが挙げられる。潤滑剤の添加量は、無機化合物源粉末の１００重量部に対して、０〜１０重量部であることが好ましく、より好ましくは１〜５重量部である。
【００２６】
可塑剤としては、例えば、ポリオキシアルキレンアルキルエーテルが挙げられる。市販品としては、例えば、日油株式会社製「ユニルーブ５０ＭＢ−７２」（ポリオキシエチレンポリオキシプロピレンブチルエーテル、２０℃における粘度が１０２０ｍＰａ・ｓ）、日油株式会社製「ユニルーブ５０ＭＢ−１６８」（ポリオキシエチレンポリオキシプロピレンブチルエーテル、２０℃における粘度が２８８０ｍＰａ・ｓ）が挙げられる。
可塑剤の量は、無機化合物源粉末の１００重量部に対して、０．１〜２０重量部であることが好ましく、０．１〜１０重量部であることがより好ましく、さらに好ましくは０．１〜６重量部である。
【００２７】
分散剤としては、たとえば、硝酸、塩酸、硫酸などの無機酸；シュウ酸、クエン酸、酢酸、リンゴ酸、乳酸などの有機酸；メタノール、エタノール、プロパノールなどのアルコール類；ポリカルボン酸アンモニウムなどの界面活性剤などが挙げられる。分散剤の添加量は、無機化合物源粉末の１００重量部に対して、０〜２０重量部であることが好ましく、より好ましくは２〜８重量部である。
【００２８】
溶媒としては、たとえば、メタノール、エタノール、ブタノール、プロパノールなどのアルコール類；プロピレングリコール、ポリプロピレングリコール、エチレングリコールなどのグリコール類；および水などを用いることができる。なかでも、水が好ましく、不純物が少ない点で、より好ましくはイオン交換水が用いられる。溶媒の使用量は、無機化合物源粉末の１００重量部に対して、１０重量部〜１００重量部であることが好ましく、より好ましくは２０重量部〜８０重量部である。
【００２９】
このようなグリーンハニカム成形体７０は例えば以下のようにして製造することができる。まず、無機化合物源粉末と、有機バインダと、溶媒と、必要に応じて添加される添加物を用意する。そして、これらを混練機等により混合して原料混合物を得、得られた原料混合物を隔壁の形状に対応する出口開口を有する押出機から押し出せばよい。
【００３０】
図１にもどって、ワーク保持部６は、上面にグリーンハニカム成形体７０に対応する断面半円形のくぼみを有し、グリーンハニカム成形体７０を保持する。また、ワーク保持部６は、ワイヤ１２が上下に移動するＸＺ面に対応する部分に切り込み６ａを有しており、グリーンハニカム成形体７０を切断可能となっている。
【００３１】
図２に示すように、ワーク保持部６は、グリーンハニカム成形体７０を以下のような回転位置で保持している。すなわち、ワーク保持部６上のグリーンハニカム成形体７０は、図２に示すように、貫通孔７０ａの軸（Ｙ軸）に垂直な断面（ＸＺ断面）において、各貫通孔７０ａのすべての辺７０ｂとワイヤ１２とが非平行となるように配置されている。ここで「非平行」とは、貫通孔７０ａの軸方向から見て、辺７０ｂの延長線とワイヤ１２が延びる方向とが互いに交差する位置関係にあることをいう。
【００３２】
具体的には、貫通孔７０ａの互いに平行な一対の辺７０ｂ１とワイヤ１２とのなす角度（非鈍角）をθ１とし、貫通孔７０ａの互いに平行な他の一対の辺７０ｂ２とワイヤ１２とのなす角度（非鈍角）をθ２とした場合、θ１及びθ２は、いずれも０度を超える。好ましくは、貫通孔７０ａの断面形状が正方形の場合、θ１及びθ２は、それぞれ、３０〜６０度であることが好ましく、４０〜５０度であることがより好ましい。
【００３３】
図１に戻って、ワイヤ保持部（刃先保持部）２０は、逆Ｕ字状とされた枠板２１を有する。枠板２１は、水平方向に離間されてそれぞれ下方に延びる２つの先端部２１ａ、２１ｂを有する。先端部２１ａには送り側サーボモータ１７ａが設けられ、先端部２１ｂには、受け側サーボモータ１７ｂが設けられている。
【００３４】
送り側サーボモータ１７ａの回転軸には送り側ボビン１８ａが設けられ、受け側サーボモータ１７ｂの回転軸には、張力センサ１９を介して受け側ボビン１８ｂが設けられている。そして、送り側ボビン１８ａから受け側ボビン１８ｂまでに亘って、ワイヤ１２が張り渡されている。ワイヤ１２の材料は特に限定されないが、たとえば、スチールワイヤ等が挙げられる。ワイヤ１２の径も特に限定されないが、切断時の貫通孔７０ａの変形をより抑制する観点から、１２０〜５００μｍとすることが好ましい。
【００３５】
送り側サーボモータ１７ａ、受け側サーボモータ１７ｂ、及び、張力センサ１９は、張力コントローラ２４に接続されている。張力コントローラ２４は、張力センサ１９から取得した張力に基づいて、ワイヤ１２の張力が所定の範囲内となるように、送り側ボビン１８ａや受け側ボビン１８ｂの回転を制御しつつ、ワイヤ１２が所定の速度で送り側ボビン１８ａから受け側ボビン１８ｂに向かってＸ方向に移動するように２つのモータを制御する。張力は特に限定されないが、たとえば、２０Ｎ以上とすることが好ましく、４０Ｎ以上とすることが好ましい。また、張力の上限はないが、１００Ｎ以下とすることが好ましく、６０Ｎ以下とすることがより好ましい。また、ワイヤ１２のＸ方向の移動速度も特に限定されないが、２０〜２００ｍｍ／ｓとすることができる。
【００３６】
本実施形態では、送り側ボビン１８ａ、受け側ボビン１８ｂ、送り側サーボモータ１７ａ及び受け側サーボモータ１７ｂが、ワイヤ１２をワイヤの軸方向（Ｘ方向：矢印Ａ）に移動させる軸方向移動部４０を構成している。本実施形態では、枠板２１、及び、送り側サーボモータ１７ａ、受け側サーボモータ１７ｂ、送り側ボビン１８ａ、受け側ボビン１８ｂが、ワイヤ１２を保持するワイヤ保持部（刃先保持部）２０を構成している。また、本実施形態では、張力センサ１９、及び、張力コントローラ２４が、ワイヤ１２の張力を一定に維持する張力維持部５０を構成している。
【００３７】
垂直移動部３０は、枠板２１に設けられた支持部２１ｃを鉛直方向（Ｚ軸方向）に移動させることにより、ワイヤ１２を、ワイヤの伸びるＡ方向（Ｘ方向）に対して垂直なＢ方向（−Ｚ方向）に移動させる。すなわち、ワイヤ１２を、ワイヤ１２に対して垂直な方向に、グリーンハニカム成形体７０に対して相対的に移動させる。垂直移動部３０の構成は特に限定されず、たとえば、ラックピニオン機構等を使用できる。切断時の支持部２１ｃ、すなわち、ワイヤ１２の−Ｚ軸方向の移動速度は特に限定されないが、たとえば、２０〜２００ｍｍ／ｓとすることができる。
【００３８】
続いて、本実施形態の切断装置１００を用いたグリーンハニカム成形体の切断方法を説明する。まず、ワーク保持部６に、グリーンハニカム成形体７０を保持する。ここでは、上述のように（図２参照）、グリーンハニカム成形体７０の貫通孔７０ａの軸と垂直な面（ＸＺ面）内において、各貫通孔７０ａの各辺７０ｂが、ワイヤ１２の延在方向であるＸ軸に対して非平行となる方向にグリーンハニカム成形体７０を配置する。ここで、貫通孔７０ａの軸と垂直な面とは、貫通孔７０ａの貫通方向に垂直な面をいう。その後、張力コントローラ２４により、ワイヤ１２の張力が所定の範囲となるように、送り側サーボモータ１７ａと、受け側サーボモータ１７ｂとを駆動し、ワイヤ１２をＡ方向（Ｘ方向）に移動させる。
【００３９】
その状態で、垂直移動部３０により、枠板２１をＢ方向（−Ｚ方向）に移動させ、Ａ方向に移動するワイヤ１２が、グリーンハニカム成形体７０を通過するようにする。これにより、グリーンハニカム成形体７０が、貫通孔７０ａに垂直なＸＺ面に沿って切断される。
【００４０】
このような切断装置及び方法によれば、たとえば、切断前の長いグリーンハニカム成形体７０から、例えば、４０〜３５０ｍｍのＹ軸長さのグリーンハニカム成形体を得ることができる。
【００４１】
そして、このようにして所望の長さに切断されたグリーンハニカム構造体の貫通孔の端部を必要に応じて封口したのち、焼成することにより、セラミクス製のハニカム構造体を得ることができる。このようなハニカム構造体は、ディーゼルパティキュレートフィルターとして使用することができる。
【００４２】
そして、本実施形態によれば、ワイヤ１２が、貫通孔７０ａの各辺７０ｂと非平行になるように配置されているので、このワイヤ１２をワイヤ１２に対して垂直な方向に移動させて切断する際に、切断面近傍での貫通孔７０ａの断面形状の変形を抑制できる。
【００４３】
本実施形態は、上記実施形態に限定されず、さまざまな変形態様が可能である。たとえば、ワイヤ保持部２０、垂直移動部３０、ワーク保持部６、軸方向移動部４０、張力維持部５０の構成は上記実施形態に限定されず、種々の形態をとることができる。
【００４４】
また、上記実施形態では、ワイヤ１２をＢ方向に移動させる際に、軸方向移動部４０を駆動させることにより、ワイヤ１２をＢ方向と垂直なＡ方向（ワイヤ１２の軸方向）にも移動させているが、例えば、ワイヤ１２の径が細い場合等には、ワイヤ１２をＡ方向に移動させることなくＢ方向に移動させても実施は可能である。なお、軸方向移動部４０により、ワイヤ１２をその軸方向に移動させながら切断を行うと、より平滑な断面形状を得られるという効果がある。
【００４５】
また、上記実施形態では、張力維持部５０により、切断時にワイヤ１２の張力が一定となるように維持しているが、特に、張力をコントロールしなくても実施は可能である。なお、切断時に張力を２０Ｎ以上となるように制御すると、平滑で平面度の安定した（断面うねりの少ない）切断面を得られるという効果がある。
【００４６】
また、上記実施形態では、垂直移動部３０は、貫通孔７０ａの軸と垂直な面に沿って、ワイヤ（刃先）をグリーンハニカム成形体７０に対して相対的に移動させるにあたり、ワーク保持部６及びグリーンハニカム成形体７０を固定し、ワイヤ保持部（刃先保持部）２０及びワイヤ１２を移動させているが、これに限られず、Ｚ方向への動きを固定されたワイヤ１２及びワイヤ保持部２０に対して、ワーク保持部６及びグリーンハニカム成形体７０）を移動させてもよく、ワイヤ１２及びワイヤ保持部２０と、ワーク保持部６及びグリーンハニカム成形体７０との両方を移動させてもよく、これらが相対的に移動すればよい。
【００４７】
また、上記実施形態では、貫通孔７０ａを複数備えるが、貫通孔７０ａが一つであっても同様の効果を奏しうる。
【００４８】
また、グリーンハニカム成形体の貫通孔７０ａの配置も特に限定されず、正方形配置に替えて、たとえば、千鳥配置でもよい。
【００４９】
また、貫通孔７０ａの断面形状も、正方形には限定されず、矩形でもよく、六角形、三角形等の多角形であればよい。特に、正方形、正六角形、正三角形等の正多角形は好ましい。いずれの場合でも、切断時に、ワイヤ１２の伸びる方向と、貫通孔７０ａの各辺とが非平行であればよい。
【００５０】
また、グリーンハニカム成形体７０の外形形状も、円柱体に限定されず、正方形や矩形等の角柱等でもかまわない。
【００５１】
また、上記実施形態では、グリーンハニカム成形体７０を水平方向に配置し、切断面を鉛直面としているが、これらをどのように配置してもよいことはいうまでもない。
【００５２】
また、上記実施形態では、刃先としてワイヤを使用しているがこれに限定されない。たとえば、刃先として、ナイフや帯鋸等の刃先を使用できる。帯鋸を用いる切断装置の一例を図３に示す。
【００５３】
切断装置２００は、図３に示すように、主として、環状の帯鋸２１２、帯鋸駆動部２２０、台座２３０、ワークとしてのグリーンハニカム成形体７０を保持可能なワーク保持部２５０、台座２３０上でワーク保持部２５０をＹ方向に移動させる切断用移動部２６０、及び、台座２３０上でワーク保持部２５０をＸ方向に移動させる位置決め用移動部２６６とを備える。
【００５４】
環状の帯鋸２１２は、バンドソーとも言われるものであり、可撓性を有する帯状の板が環状をなしており、板の端面には刃（刃先）２１２ｂが形成されている。ここで「刃（刃先）」とは、帯状の板に沿って並んだ刃の集合体をいう。帯状の板の材質は特に限定されず、例えば、ステンレス板を使用できる。刃２１２ｂの構成も特に限定されず、ダイヤモンド粉等を電着したもの等を使用できる。帯鋸２１２の幅は特に限定されないが、１０〜３０ｍｍとすることができる。帯鋸２１２の厚みも特に限定されないが、例えば、０．３〜３ｍｍとすることができる。
【００５５】
帯鋸駆動部（刃先保持部）２２０は、駆動ホイール２２２、３つの従動ホイール２２３、及び、駆動ホイールを駆動する駆動モータ２２１を備えている。帯鋸２１２は、駆動ホイール２２２、及び、３つの従動ホイール２２３により、周回運動可能に掛け渡されている。ここでは、各ホイール２２２，２２３は、Ｙ軸周りに回転可能とされ、帯鋸２１２は、Ｙ軸周りを周回運動可能に掛け渡される。本実施形態では、２つの従動ホイール２２３、２２３が上下方向に離間して配置され、これにより、帯鋸２１２が上下方向（Ｚ方向）に走行する部分２１２ｃが形成される。帯鋸２１２の周回線速は特に限定されないが、例えば、２００〜１２００ｍ／ｍｉｎとすることができる。
【００５６】
台座２３０は、ＸＹ面を有する板である。台座２３０の上面に、ワーク保持部２５０が設けられている。台座２３０には、帯鋸２１２が上下に貫通することができる貫通孔２３０ｂが形成されており、貫通孔２３０ｂよりも上の部分が帯鋸２１２が直線的に走行する部分２１２ｃとなる。
【００５７】
ワーク保持部２５０は、Ｘ軸に平行に配置される柱状のグリーンハニカム成形体７０を保持するものであり、ＸＺ面に平行な面２５４ａを有する背板２５４と、背板２５４に固定された３つのクランプ２５２とを備える。
【００５８】
背板２５４は、Ｘ方向に伸び、帯鋸２１２が上下方向に走行する部分２１２ｃと対向している。クランプ２５２は、図３に示すように、背板２５４に対して、Ｘ軸方向に互いに離間するようにそれぞれ配置されている。
【００５９】
このクランプ２５２は、下部材２５１と、上部材２５３とを有し、グリーンハニカム成形体７０の外周面をそれぞれ挟む。
図４に示すように、下部材２５１は、板部材２５１ａを有する。板部材２５１ａは、背板２５４の面２５４ａに端面が固定されている。板部材２５１ａは、その厚み方向がＸ方向、すなわち、図３における上記部分２１２ｃの帯鋸２１２の側面２１２ｓの垂線と平行な方向となるように配置されており、上部に切欠き２５１ｄを有する。切り欠き２５１ｄは、柱状ワークとしての、グリーンハニカム成形体７０を少なくとも一部収容可能となっている。ここで、切欠き２５１ｄ内において、背板２５４から離れた先端側の部分にはＶ字型の２つの傾斜面を形成する当接部２５１ｂが形成され、当接部２５１ｂの２つの傾斜面上にはそれぞれ軟質板２５１ｃが配置され、当接部２５１ｂ上の軟質板２５１ｃがグリーンハニカム成形体７０と当接可能となっている。
【００６０】
上部材２５３は、Ｖ字型の２つの傾斜面を形成する当接部２５３ｂを有しており、２つの傾斜面の表面には、それぞれ軟質板２５３ｃが配置されている。この当接部２５３ｂは、下部材２５１の当接部２５１ｂの２つの傾斜面と対向配置され、これらの間に配置されるグリーンハニカム成形体７０の外周面７０ｓを挟み込んで固定する。
軟質板２５１ｃ、２５３ｃの材質は、特に限定されないが、ゴムや、発泡樹脂が挙げられる。
【００６１】
当接部２５３ｂの裏側からはロッド２５３ａが伸びており、このロッド２５３ａは背板２５４に設けられたシリンダアクチュエータ２５３ｄと接続されている。このシリンダアクチュエータは、シリンダ２５３ｓと、シリンダ２５３ｓ内の流体の圧力に応じて移動可能なピストン２５３ｐとを有して、外部から供給する流体の圧力変化に応じて、当接部２５３ｂを、当接部２５１ｂに向かって移動させ、さらに、当接部２５１ｂ向かって押し付けることができる一方、当接部２５３ｂを当接部２５１ｂから引き離して、当接部２５１ｂとの間に十分な隙間を形成可能となっている。
【００６２】
図３に戻って、切断用移動部（垂直移動部）２６０は、台座２３０上において、ワーク保持部２５０を、上記部分２１２ｃの帯鋸２１２の刃２１２ｂに対して、Ｙ方向に前進及び後退させる。つまり、グリーンハニカム成形体７０を帯鋸２１２の刃２１２ｂに対して移動させる。すなわち、帯鋸２１２の刃２１２ｂを、刃２１２ｂに対して垂直な方向に、グリーンハニカム成形体７０に対して相対的に移動させる。刃２１２ｂに対して前進させる際の送り速度は、５０〜１５００ｍｍ／ｍｉｎとすることができる。
位置決め用移動部２６６は、台座２３０上において、切断用移動部２６０をＸ方向に所望の距離移動可能となっている。
【００６３】
このような切断装置２００において、ワーク保持部２５０は、グリーンハニカム成形体７０を、帯鋸２１２の部分２１２ｃの刃２１２ｂ（刃先）に対して、上述と同様の回転位置で保持すればよい。すなわち、ワーク保持部２５０上のグリーンハニカム成形体７０は、図２と同様に、貫通孔７０ａの軸（図３ではＸ軸）に垂直な断面（ＹＺ断面）において、各貫通孔７０ａのすべての辺と刃２１２ｂとが非平行となるように配置する。
【符号の説明】
【００６４】
６…ワーク保持部、１２…ワイヤ（刃先）、２０…ワイヤ保持部（刃先保持部）、３０…垂直移動部、４０…軸方向移動部、５０…張力維持部、７０…グリーンハニカム成形体、７０ａ…貫通孔、７０ｂ…貫通孔の辺、１００，２００…切断装置、２１２…帯鋸、２１２ｂ…帯鋸の刃（刃先）、２２０…帯鋸駆動部（刃先保持部）２５０…ワーク保持部、２６０…切断用移動部（垂直移動部）。
【図１】
2012081746.tif 000003
【図２】
2012081746.tif 000004
【図３】
2012081746.tif 000005
【図４】
2012081746.tif 000006